(57)【要約】【課題】低エネルギーレベルの陽電子（ポジトロン）を経済的、安定的に発生させることができる陽電子（ポジトロン）発生装置を提供する。【解決手段】特殊形状の立体物である中空の２４面体（イコソリッド単体）をベースとし、前記中空の２４面体（イコソリッド単体）の複数個を結合したイコソリッド結合体により陽電子（ポジトロン）発生装置の主たる構成要素を構成し、その際、前記中空の２４面体（イコソリッド単体）の特殊な幾何学的形状を利用して中央部に陽電子（ポジトロン）の照射空間部を形成し、かつ、前記イコソリッド結合体を直流電源の陽極（＋）側リード線に接合するとともに、その端部を前記直流電源の陰極（−）側リード線に結線せずに接地（アース）し、前記陽電子（ポジトロン）の照射空間部において陽電子（ポジトロン）を発生・照射させる。【選択図】図８
2011058856.tif 000002
【特許請求の範囲】
【請求項１】
１．長辺と短辺の比が２対１である一対（一組）の長方形の導電性の表面を有する平板から、以下のようにして製作した中空の２４面体（イコソリッド単体）をベースにするものであって、
＜記＞
前記長方形の導電性平板の第１の長辺及び第２の長辺をそれぞれ４等分し、前記第１の長辺の４分割された区間を第１の短辺から第２の短辺へ向かってＡ辺、Ｂ辺、C辺、D辺とし、かつ、前記第２の長辺の４分割された区間を第１の短辺から第２の短辺へ向かってE辺、F辺、G辺、H辺とするとき、
(1). Ａ辺の終点とＢ辺の始点の接点（Ｘ１）とＥ辺の終点とＦ辺の始点の接点（Ｘ２）を結ぶ線分（Ｘ１、Ｘ２）、及び、Ｃ辺の終点とＤ辺の始点の接点（Ｘ3）とＧの終点とＨ辺の始点の接点（Ｘ４）を結ぶ線分（Ｘ３，Ｘ４）、をそれぞれ谷折りし、
(2). Ａ辺の終点とＢ辺の始点の接点（Ｘ１）とＡ辺に隣接する第１の短辺の中点（Ｘ７）を結ぶ線分（Ｘ１、Ｘ７）を、谷折し、
(3). Ｃ辺の終点とＤ辺の始点の接点（Ｘ３）とＤ辺に隣接する第２の短辺の中点（Ｘ８）を結ぶ線分（Ｘ３、Ｘ８）を、谷折し、
(4). Ａ辺の終点とＢ辺の始点の接点（Ｘ１）、長方形の重心（Ｏ）、及び、Ｃの終点とＤ辺の始点の接点（Ｘ３）を頂点とする三角形を、Ｂ辺の終点とＣ辺の始点の接点（Ｘ５）と長方形の重心（Ｏ）を結ぶ線分（Ｘ５、Ｏ）で山折し、Ａ辺とＢ辺を接合するとともにＣ辺とＤ辺を接合し、
(5). Ｅ辺の終点とＦ辺の始点の接点（Ｘ２）とＥ辺に隣接する第１の短辺の中点（Ｘ７）を結ぶ線分（Ｘ２、Ｘ７）を、谷折し、
(6). Ｇ辺の終点とＨ辺の始点の接点（Ｘ４）とＨ辺に隣接する第２の短辺の中点（Ｘ８）を結ぶ線分（Ｘ４、Ｘ８）を、谷折し、
(7). Ｅ辺の終点とＦ辺の始点の接点（Ｘ２）、長方形の重心（Ｏ）、及び、Ｇ辺の終点とＨ辺の始点の接点（Ｘ４）を頂点とする三角形を、Ｆ辺の終点とＧ辺の始点の接点（Ｘ６）と長方形の重心（Ｏ）を結ぶ線分（Ｘ６、Ｏ）で山折し、Ｅ辺とＦ辺を接合するとともにＧ辺とＨ辺を接合し、
(8). これにより第１の短辺と第２の短辺がそれぞれの中点（Ｘ７、Ｘ８）を頂点として２区分された合計４辺よりなる開口部を有する一対の１２面体を形成し、
(9). 前記１２面体の一対をそれぞれの開口部が対向するように向き合わせ、一方の前記１２面体に対して他方の１２面体を、その開口部の中心と当該開口部の後部に形成されている頂角（前記長方形の重心Ｏ）を通る線分を回転軸として９０度回転させ、前記一対の１２面体をそれぞれの開口部を形成する４辺で接合して得られる導電性の表面層を有する中空の２４面体（イコソリッド単体）をベースとし、
２．前記中空の２４面体の１個から成るイコソリッド単体を使用し、あるいは、前記中空の２４面体の複数個を結合したイコソリッド結合体を使用し、
３．前記イコソリッド単体あるいはイコソリッド結合体の所望の頂点に直流電源の陽極（＋）リード線を接続するとともに、異なる頂点から引き出された陽極（＋）リード線を、直接、アース（接地）し、かつ、直流電源の陰極（−）リード線を前記陽極（＋）リード線に接続せずに、直接、アース（接地）し、
４．前記したイコソリッド単体あるいはイコソリッド結合体と直流電源の配線関係のもとで、通電してイコソリッド単体あるいはイコソリッド結合体から陽電子（ポジトロン）を発生させる、
ことを特徴とする中空の２４面体の１個から成るイコソリッド単体あるいは前記中空の２４面体の複数個を結合したイコソリッド結合体を利用した陽電子（ポジトロン）発生装置。
【請求項２】
導電性の表面層を有する長方形の平板が、導電性材料の平板にのみで構成されたものである請求項１に記載の陽電子（ポジトロン）発生装置。
【請求項３】
導電性の表面層を有する長方形の平板が、不導電性材料の平板に導電性の表面層を設けたもので構成されたものである請求項１に記載の陽電子（ポジトロン）発生装置。
【請求項４】
中空の２４面体（イコソリッド単体）が、射出成形または鋳型成形されたものである請求項１に記載の陽電子（ポジトロン）発生装置。
【請求項５】
イコソリッド結合体が、上下方向にイコソリッド単体の所望個数を接合したものを１組とするとき、その４組を、平面投影視したとき、中央部に空間部（収容スペース）を有するように十字状（十字架状）に配置し、相互に接合（結合）して構成されたものである  請求項１に記載の陽電子（ポジトロン）発生装置。
【請求項６】
２個のイコソリッド単体が、上下方向に点接合されたものである請求項５に記載の陽電子（ポジトロン）発生装置。
【請求項７】
イコソリッド結合体が、イコソリッド単体の複数個を、中央部に空間部（収容スペース）を有するように単層状あるは複層上に配設し、相互に接合（結合）して構成されたものである請求項１に記載の陽電子（ポジトロン）発生装置。
【請求項８】
直流電源が、バッテリー（蓄電池）又は電池である請求項１に記載の陽電子（ポジトロン）発生装置。
【請求項９】
直流電源の電圧が、１２ボルト以下である請求項１に記載の陽電子（ポジトロン）発生装置。
【請求項１０】
直流電源の電圧が１２ボルト以下のとき、イコソリッド結合体の内部に形成される空間部（収容スペース）の電気的環境条件が、
・電場は、ほぼ「０」であり、
・陽極（＋）リード線に接続したフィールドである（陽極サイドに結線されたフィールドである）、
請求項９に記載の陽電子（ポジトロン）発生装置。
【発明の詳細な説明】
【技術分野】
【０００１】
本発明は、中空の２４面体の実像立体である「イコソリッド単体」の単独、あるいは、前記「イコソリッド単体」の所望個数を結合してなる「イコソリッド結合体」を利用した陽電子（ポジトロン）発生装置に関する。
【０００２】
詳しくは、本発明は、長辺と短辺の長さの比が２：１である一対（一組）の長方形の導電性の表面を有する平板を特殊な折り畳みルール（鏡面一対のルール、左右対称のルール）によって折り畳んで製作した特殊な幾何学的形状を有する中空の２４面体（イコソリッド単体）をベースとした陽電子（ポジトロン）発生装置に関する。
【０００３】
更に詳しくは、本発明は、前記特殊な幾何学的形状を有する中空の２４面体であるイコソリッド単体の単独、あるいは、前記「イコソリッド単体」の所望個数を結合してなるイコソリッド結合体を、直流電源（バッテリー又は電池）に対して、特殊な電気的配線回路（電気的接続法）のもとで接合してなる経済的な低エネルギーレベルの陽電子（ポジトロン）発生装置に関する。
【背景技術】
【０００４】
陽電子（ポジトロン：ｐｏｓｉｔｒｏｎ）は、１９２８年にポール・ディラックにより正電荷を持つ電子の存在が仮説され、１９３２年にカール・Ｄ・アンダーソンによりその存在が確認された。
陽電子（ポジトロン）は、電子の反粒子であり、絶対量が電子に等しいプラスの電荷を有し、その他、電子と等しい特徴（重量、スピン角運動量・１／２）を有するものである。
【０００５】
今日、陽電子（ポジトロン）は、ポジトロン断層法、即ち、ＰＥＴ（ｐｏｓｉｔｒｏｎ  ｅｍｉｓｓｉｏｎ  ｔｏｍｏｇｒａｐｈｙ）との関連において、よく知られている。
【０００６】
前記ＰＥＴ（ポジトロン断層法）とは、陽電子（ポジトロン）検出を利用したコンピュータ断層撮影技術であり、その原理の概要は以下の通りである。
（１）．体内に投与された「陽電子放出核種」（放射性トレーサー）は、体内で崩壊して１個の陽電子（ポジトロン）を放出する。
（２）．放出された陽電子（ポジトロン）は、近傍の原子の電子（例えば水分子の電子）と対消滅し、電子の静止質量に等しいエネルギー（５１１ｅＶ）の光子（γ線）を、およそ２個放出する（消滅放射線）。
（３）．放出された光子（γ線）をＰＥＴ装置で検出する。
このＰＥＴ装置は、多数の光子（γ線）検出器と光子計数回路からなり、前記したことから判るように生体機能の観察・検査・診断に有用であり、具体的には脳機能の検査、アルツハイマー病の診断、ガン（癌）診断などに有用である。
【０００７】
前記ＰＥＴにおいて大きな問題点は、陽電子放出核種（放射性トレーサー）は病院等に設置したサイクロトロンで陽子や重陽子を照射して作製されるが、半減期の長いトレーサーの入手が困難なことである。
このため、現状ではＰＥＴの潜在能力を十分に引き出されていないといわれ、更なるトレーサーの開発が不可欠であるといわれている・
【０００８】
また、大強度・高エネルギーをもつ大強度陽電子（ポジトロン）は、放射光の発生実験や電子―陽電子衝突実験などを通じて素粒子物理、核物理、放射科学、表面物理などの研究に有用なものである。
この種の大強度陽電子（ポジトロン）を得るための発生方法としては、例えば、電子線形加速器（リニアック）からの高エネルギー電子をコンバータといわれる物質（原子核の電荷が大きいＴａ、Ｗなど）に入射し、大量の高エネルギー陽電子と光を生成し、更に生成した陽電子（ポジトロン）を加速して、前記目的のために提供される。
【発明の概要】
【発明が解決しようとする課題】
【０００９】
陽電子（ポジトロン）の発生方法としては、前記したように（「背景技術」の項参照）、
・ＰＥＴにおいて利用されるサイクロトロンで作成された陽電子放出核種（放射性トレーサー）の体内での崩壊による発生、
・電子線形加速器（リニアック）を用いた大強度・高エネルギー陽電子（ポジトロン）の発生、
などの高エネルギーレベルの陽電子（ポジトロン）を発生させる方法が知られている。
【００１０】
しかしながら、前記したことから判るように、従来技術においては低エネルギーレベルの陽電子（ポジトロン）それ自体を、経済的、安定的に発生させる技術は存在しない。
【００１１】
本発明は、低エネルギーレベルの陽電子（ポジトロン）を経済的、安定的に発生させることができる陽電子（ポジトロン）発生装置を提供しようとするものである。
特に、本発明は、低エネルギーレベルの陽電子（ポジトロン）を経済的、安定的に発生させることができる陽電子（ポジトロン）発生装置であって、発生させた陽電子（ポジトロン）を人体等に照射することができる人体等の収容部（収容スペース）を当該発生装置の主たる構成要素の幾何学的形状を利用して発生装置の中に内蔵させた陽電子（ポジトロン）発生装置を提供しようとするものである。
【００１２】
本発明の陽電子（ポジトロン）発生装置により発生させた陽電子（ポジトロン）を空間部（収容スペース）において、例えば、人体等に照射すると、後述する実施例において実証されるように、人体の健康回復・促進・増進が図られるものであり、例えば、
・血圧の効果（高血圧・低血圧の是正、血流の促進）、
・脈拍数の安定化（安定脈拍数の確保、被験者の個体差にもよるが多少の脈拍数の増大）、
・体温の上昇、
などが図られる。
【課題を解決するための手段】
【００１３】
本発明を概説すれば、本発明は、低エネルギーレベルの陽電子（ポジトロン）発生装置に関し、前記低エネルギーレベルの陽電子（ポジトロン）発生装置は、以下の技術的な構成要件を有するものである。
【００１４】
１．長辺と短辺の比が２対１である一対（一組）の長方形の導電性の表面を有する平板から、以下のようにして製作した中空の２４面体（イコソリッド単体）をベースにするものであって、
＜記＞
前記長方形の導電性平板の第１の長辺及び第２の長辺をそれぞれ４等分し、前記第１の長辺の４分割された区間を第１の短辺から第２の短辺へ向かってＡ辺、Ｂ辺、C辺、D辺とし、かつ、前記第２の長辺の４分割された区間を第１の短辺から第２の短辺へ向かってE辺、F辺、G辺、H辺とするとき、
(1). Ａ辺の終点とＢ辺の始点の接点（Ｘ１）とＥ辺の終点とＦ辺の始点の接点（Ｘ２）を結ぶ線分（Ｘ１、Ｘ２）、及び、Ｃ辺の終点とＤ辺の始点の接点（Ｘ3）とＧ辺の終点とＨ辺の始点の接点（Ｘ４）を結ぶ線分（Ｘ３，Ｘ４）、をそれぞれ谷折りし、
(2). Ａ辺の終点とＢ辺の始点の接点（Ｘ１）とＡ辺に隣接する第１の短辺の中点（Ｘ７）を結ぶ線分（Ｘ１、Ｘ７）を、谷折し、
(3). Ｃ辺の終点とＤ辺の始点の接点（Ｘ３）とＤ辺に隣接する第２の短辺の中点（Ｘ８）を結ぶ線分（Ｘ３、Ｘ８）を、谷折し、
(4). Ａ辺の終点とＢ辺の始点の接点（Ｘ１）、長方形の重心（Ｏ）、及び、Ｃ辺の終点とＤ辺の始点の接点（Ｘ３）を頂点とする三角形を、Ｂ辺の終点とＣ辺の始点の接点（Ｘ５）と長方形の重心（Ｏ）を結ぶ線分（Ｘ５、Ｏ）で山折し、Ａ辺とＢ辺を接合するとともにＣ辺とＤ辺を接合し、
(5). Ｅ辺の終点とＦ辺の始点の接点（Ｘ２）とＥ辺に隣接する第１の短辺の中点（Ｘ７）を結ぶ線分（Ｘ２、Ｘ７）を、谷折し、
(6). Ｇ辺の終点とＨ辺の始点の接点（Ｘ４）とＨ辺に隣接する第２の短辺の中点（Ｘ８）を結ぶ線分（Ｘ４、Ｘ８）をに谷折し、
(7). Ｅ辺の終点とＦ辺の始点の接点（Ｘ２）、長方形の重心（Ｏ）、及び、Ｇ辺の終点とＨ辺の始点の接点（Ｘ４）を頂点とする三角形を、Ｆ辺の終点とＧ辺の始点の接点（Ｘ６）と長方形の重心（Ｏ）を結ぶ線分（Ｘ６、Ｏ）で山折し、Ｅ辺とＦ辺を接合するとともにＧ辺とＨ辺を接合し、
(8). これにより第１の短辺と第２の短辺がそれぞれの中点（Ｘ７、Ｘ８）を頂点として２区分された合計４辺よりなる開口部を有する一対の１２面体を形成し、
(9). 前記１２面体の一対をそれぞれの開口部が対向するように向き合わせ、一方の前記１２面体に対して他方の１２面体を、その開口部の中心と当該開口部の後部に形成されている頂角（前記長方形の重心Ｏ）を通る線分を回転軸として９０度回転させ、前記一対の１２面体をそれぞれの開口部を形成する４辺で接合して得られる導電性の表面層を有する中空の２４面体（イコソリッド単体）をベースとし、
２．前記中空の２４面体の１個からなるイコソリッド単体を利用し、あるいは、前記中空の２４面体（イコソリッド単体）の複数個数を結合したイコソリッド結合体を使用し、
３．前記イコソリッド単体、あるいは、前記イコソリッド結合体の所望の頂点に直流電源の陽極（＋）リード線を接続するとともに、異なる頂点から引き出された陽極（＋）リード線を、直接、アース（接地）し、かつ、直流電源の陰極（−）リード線を前記陽極（＋）リード線に接続せずに、直接、アース（接地）し、
４．前記イコソリッド単体あるいはイコソリッド結合体と直流電源の配線関係のもとで、前記イコソリッド単体あるいはイコソリッド結合体から陽電子（ポジトロン）を発生させる、
ことを特徴とする中空の２４面体の１個から成るイコソリッド単体、あるいは、前記中空の２４面体の複数個を結合したイコソリッド結合体を利用した陽電子（ポジトロン）発生装置に関する。
【発明の効果】
【００１５】
本発明の陽電子（ポジトロン）発生装置は、主たる構成要素（構成部材）である、
・中空の２４面体の１個から成るイコソリッド単体、あるいは、
・前記中空の２４面体（イコソリッド単体）の複数個を結合したイコソリッド結合体、
から成るという極めてシンプルな構成のものである。
また、前記イコソリッド単体あるいはイコソリッド結合体から低エネルギーレベルの陽電子（ポジトロン）を発生させるための直流電源との電気的接続回路も、独特の電気的配線法を採用するが極めてシンプルな構成のものである。
【００１６】
前記したことから判るように、本発明の低エネルギーレベルの陽電子（ポジトロン）発生装置は、従来のような大型、高価なサイクロトロンや電子線形加速器（リニアック）を必要とせず、極めて経済的に構成されるものである。
また、本発明の前記した特殊な幾何学的形状のイコソリッド単体あるいはイコソリッド結合体を主たる構成要素とした陽電子（ポジトロン）発生装置は、通常の直流電源のもとで安定的に人体等への照射において安全な陽電子（ポジトロン）を発生させることができるものである。
【００１７】
更にまた、本発明の陽電子（ポジトロン）発生装置において、その主たる構成要素であるイコソリッド結合体は、前記したように特殊な幾何学的形状のイコソリッド単体を所望個数配列、結合して構成されるが、その配列方式を工夫することにより極めて容易にその配列体の内部に人体など（人体、あるいはペット動物など）を収容させるに十分な空間部（収容スペース）を合目的に形成することができる。
そして、例えば、前記空間部（収容スペース）において、低エネルギーレベルでかつ安全性の高い陽電子（ポジトロン）を照射（放射）させることにより、人体の健康回復・増進を図ることが出来るものである。
より具体的には、本発明の陽電子（ポジトロン）発生装置を用いて、例えば、
・血圧の効果（高血圧・低血圧の是正、血流の促進）、
・脈拍数の安定化（安定脈拍数の確保、被験者固体にもよるが多少の脈拍数の増大）、
・体温の上昇、
などを図ることが出来るものである。
【図面の簡単な説明】
【００１８】
【図１】本発明に係る陽電子（ポジトロン）発生装置の構成要素であるイコソリッド単体（中空の２４面体）の製作過程を説明する図である。図１は、前記イコソリッド単体は、長方形の平板（１）から折り紙形式により折り畳まれて製作されることを示している。
【図２】本発明に係る陽電子（ポジトロン）発生装置の構成要素であるイコソリッド単体（中空の２４面体）の半殻体である一対の１２面体（一組の中空の２４面体の２分の１の多面体）（６）の表側（a）と裏側（ｂ）の斜視図である。
【図３】本発明に係る陽電子（ポジトロン）発生装置の構成要素であるイコソリッド単体（中空の２４面体）の半殻体である一対の１２面体（一組の中空の２４面体の２分の１の多面体）（６）の斜視図である。
【図４】本発明に係る陽電子（ポジトロン）発生装置の構成要素である特殊な幾何学的形状を有するイコソリッド単体（中空の２４面体）（１００）の外観斜視図である。
【図５】本発明の陽電子（ポジトロン）発生装置の構成要素である８個のイコソリッド単体（１００）を結合し製作したイコソリッド結合体（２００）の斜視図である。
【図６】イコソリッド結合体（２００）の平面図である。
【図７】イコソリッド結合体（２００）の内部に形成される特殊な幾何学的形状のイコソリッド単体（１００）に基づいて容易に形成される空間部（収容スペース）（Ｓ）を説明する図である。
【図８】本発明の陽電子（ポジトロン）発生装置（Ａ）におけるイコソリッド結合体（２００）と直流電源（Ｂ）との配線図である。
【図９】従来一般の配線方法によるイコソリッド結合体（２００）と直流電源（Ｂ）との配線図である。
【発明を実施するための形態】
【００１９】
先ず、本発明の理解に資するために、中空の２４面体（イコソリッド単体）の構成について説明する。
なお、これに引き続いて、前記中空の２４面体（イコソリッド単体）を所望個数組み合わせて形成されるイコソリッド結合体、前記イコソリッド結合体から陽電子（ポジトロン）を発生させるためのイコソリッド単体あるいはイコソリッド結合体と直流電源装置との電気的配線（電気的回路）の構成などについて説明する。
【００２０】
前記中空の２４面体（イコソリッド単体：ＩＫＯＳＯＬＩＤ単体）は、前記したように一組（２個）の上下の中空の開口部を有する１２面体（イコソリッド単体の半殻体）を、一方に対して９０度回転させて、夫々の開口部で接合させて構成されるものである（図３参照）。
【００２１】
ここで、前記中空の２４面体（イコソリッド単体）という特殊な幾何学的な形状を有する実像立体（物）が、どのようにして発案・創案されたのか、という経緯について説明する。
なお、以下の説明は、本発明の理解に資するものであり、特に、本発明に係る陽電子（ポジトロン）発生装置の主要な構成要素である中空の２４面体の１個からなるイコソリッド単体あるいは前記イコソリッド単体を所望個数結合して形成されたイコソリッド結合体が、他の実像立体には見られない特殊な特性を発揮することができるのか、という点を理解するうえで有用であると考える。
【００２２】
本発明者のうち、遠藤  光栄、遠藤  郁代は、アーテスト・画家と自称している。
画家の空間表現法の研究としては、遠近法の発明（平面・２次元画像の中に３次元画像を表現するための表現法）、セザンヌ（画像対象を円柱、円錐、球で表現）、ピカソ（例えば、頭部の見える前部と見えない後部の同時表現、キュウービズム）などが良く知られている。
このように、画家の空間表現法の研究は永遠の課題といってよい。
【００２３】
本発明は、発明者のうちの遠藤  光栄、遠藤  郁代の空間表現法の研究、特に、３Ｄ（３次元）画像の中に４Ｄ(4次元）画像を表現するための表現法の研究から生まれたものである。
イコソリッド単体（中空の２４面体）の全表面、全裏面に所望の画像・絵（例えば、花束の絵など）を印刷したとき（あるいは貼り合わせたとき）、この画像は無限の連続性を有する（無限拡張性）を有するということができる。なお、このような無限拡張性の絵画を、魔方陣画という。即ち、イコソリッド単体(中空の２４面体)は空間の無限の拡張性を有しているということができる。
【００２４】
前記したイコソリッド単体（中空の２４面体）の全表面、全裏面に描かれた画像の無限拡張性（の要素）は、この宇宙（４Ｄ時空）が果てしなく連続的に広がっているというイメージ（無限の運動性）とマッチング（合致）する。
別言すれば、イコソリッド単体（中空の２４面体）は、「３Ｄ実像（３Ｄ立体）」の中に「４Ｄ画像」を表現している（写しこんでいる）ということができる。
なお、多面体としてプラトン（あるいはピタゴラス派）の正八面体（実像立体）が有名である。これの平面展開図は８個の正三角形を連接させたものである。これに対して、本発明のイコソリッド単体（中空の２４面体）の半殻体（中空の１２面体）の平面展開図は、図１に示されるものである。
プラトンの正八面体（実像立体）は、その展開図からして本発明に係わる中空の１２面体（イコソリッド単体の半殻体）あるいは中空の２４面体（イコソリッド単体）とは、全く異質のものである。
この異質の点については、外観形状からして明らかであるが、今、位相幾何学的な観点（トポロジー的観点）からプラトンの正八面体と本発明のイコソリッド単体（中空の２４面体）の１／４（４分の１）イコソリッドの相違を説明すると以下の通りである。
プラトンの正八面体を上方向及び下方向からみた時の２次元図（平面図）は、本発明の図１を利用して説明すると、長方形１の上半分（または下半分）の正方形であって、線分（Ｏ，Ｘ７）の中央タテ線が存在するものである。
本発明らは、前記した中央タテ線の存在は空間特性の規定において極めて重要な意味を有していると考えている。なお、本発明らは、この中央タテ線があるプラトンの正八面体の空間を閉鎖体といい、これが存在しない１／４イコソリッドの空間を開口体であると位置付けしている。また、この考え方は、後述する高血圧に関する遺伝子ＤＮＡ・酵素レニンの開口体と閉鎖体の理解にも有用なものである。
【００２５】
前記したイコソリッド単体（中空の２４面体）の「３Ｄ実像立体」の中に「４Ｄ画像」を写しこんでいるという特性の点は、イコソリッド単体（中空の２４面体）において、前記した製作法の説明から判るように、
・全ての面（折り畳み面）は、「鏡面一対（左右対称）」のルールによって折り畳まれていること、
・この「鏡面一対（左右対称）」のルールの中に、例えば、右サイドから左サイドへの移行という運動性が含まれること、
ということを考え合わせろと、イコソリッド単体が、「３Ｄ実像（３Ｄ立体）」の中に「４Ｄ画像」を表現している（写しこんでいる）、ということを容易に理解することができる。
また、イコソリッド単体は、前記したようにトポロジカル的にみてプラトンの正八面体（閉鎖体）と比較して、開口体であることを考え合わせると容易に理解することができる。
【００２６】
発明者のうちの遠藤  光栄、遠藤  郁代は、前記したように画家の空間表現法の研究成果として見い出されたイコソリッド単体が、画家の空間表現法の研究と離れて、どのような有用性・産業の利用性を持っているかについて検討し、先に提案しているところである（特願２００４−２９１０５６参照）。
【００２７】
その結果、不要電磁波を発生する各種の電気・電子機器において、これら機器が電源から電力供給を受ける電気回路にイコソリッド単体（中空の２４面体）を接続するだけで、これら電気・電子機器からの不要電磁波の発生を経済的、効率的に低減ないしは防止させることができることを見い出し、先に提案した（特願２００４−２９１０５６参照）。
なお、イコソリッド単体（中空の２４面対）をこれら機器に接続した場合、磁束減少効果は、当該素子、当該素子を接続した後の部位、当該素子を接続した前の部位、の順位で効果的に不要電磁波の発生を低減させることができる。
【００２８】
また、イコソリッド単体（中空の２４面体）は、所定の電気回路系（例えば照明系、送電系、変電系、モータなどの電気動力系など）に適用することにより、磁束減少という機能のほかに、この磁束減少機能に関連すると認められる以下に示す有用な諸機能、即ち、
・  抵抗減少機能、
・  電流増大機能、
・  有効電力増大機能、
・  力率向上機能、
・  電力損失減少機能、
・  超伝導（超伝導素子）機能、
・  電子速度の増大機能、
などの有用な諸機能を発現させることができることも見い出された。別言すれば、イコソリッド単体（中空の２４面体）は、前記した優れた多機能・諸機能を固有的に併せ持って（併有して）いるということができる。
従って、イコソリッド単体（中空の２４面体）は、前記した各種の機能を利用した応用（利用）分野において、それぞれの機能に基づく優れた経済的メリットや省エネルギー効果を発揮することができるものである。
【００２９】
本発明の中空の２４面体（イコソリッド単体）をベースとする低エネルギーレベルの陽電子（ポジトロン）発生装置は、本発明者らの前記中空の２４面体（イコソリッド単体）の更なる有用性・実用性を研究する過程で見い出されたものであることはいうまでもないことである。
【００３０】
以下、前記中空の２４面体（実像立体であるイコソリッド単体）の製作法を含め、その具体的な技術的構成を説明する。
【００３１】
ここでは、折り紙細工にならって、中空の２４面体（実像立体であるイコソリッド単体）の製作過程を図面を参照して説明するが、これに限定されるものではない。
【００３２】
本発明の中空の２４面体（イコソリッド単体）は、図１に示されるように、第1の長辺2と第１の短辺4、及び、第２の長辺３と第２の短辺５の比が２対１である一対（一組）の導電性の表面を有する長方形１の平板（なお、図１には、一枚の長方形１の平板が示されている。）から、以下のようにして製作されるものである。
先ず、長方形１の第１の長辺２及び第２の長辺３をそれぞれ４等分し、前記第１の長辺２の４分割された区間を第１の短辺４から第２の短辺５へ向かってＡ辺、Ｂ辺、C辺、D辺とし、前記第２の長辺３の４分割された区間を第１の短辺４から第２の短辺５へ向かってE辺、F辺、G辺、H辺とする。
そして、以下のように折り畳むことにより、イコソリッド単体（１００）（図4参照）が製作される。
【００３３】
(１)．Ａ辺の終点とＢ辺の始点の接点（Ｘ１）とＥ辺の終点とＦ辺の始点の接点（Ｘ２）を結ぶ線分（Ｘ１、Ｘ２）、及び、Ｃ辺の終点とＤ辺の始点の接点（Ｘ3）とＧ辺の終点とＨ辺の始点の接点（Ｘ４）を結ぶ線分（Ｘ３，Ｘ４）、をそれぞれ谷折りする。
【００３４】
(２)．Ａ辺の終点とＢ辺の始点の接点（Ｘ１）とＡ辺に隣接する第１の短辺４の中点（Ｘ７）を結ぶ線分（Ｘ１、Ｘ７）を、谷折する。これにより、Ａ辺は、図１において紙面の前方へ（前側へ）折り曲げられた形状となる。
【００３５】
(３)．Ｃ辺の終点とＤ辺の始点の接点（Ｘ３）とＤ辺に隣接する第２の短辺５の中点（Ｘ８）を結ぶ線分（Ｘ３、Ｘ８）を、谷折する。これにより、Ｄ辺は、図１において紙面の前方へ（前側へ）折り曲げられた形状となる。
【００３６】
(４)．Ａ辺の終点とＢ辺の始点の接点（Ｘ１）、長方形１の重心（Ｏ）、及び、Ｃ辺の終点とＤ辺の紫檀の接点（Ｘ３）を頂点とする三角形を、Ｂ辺の終点とＣ辺の始点の接点（Ｘ５）と長方形１の重心（Ｏ）を結ぶ線分（Ｘ５、Ｏ）で山折し、Ａ辺とＢ辺を接合するとともにＣ辺とＤ辺を接合する。
【００３７】
(５)．Ｅ辺の終点とＦ辺の始点の接点（Ｘ２）とＥ辺に隣接する第１の短辺４の中点（Ｘ７）を結ぶ線分（Ｘ２、Ｘ７）を、谷折する。これにより、Ｅ辺は、図１において紙面の前方へ（前側へ）折り曲げられた形状となる。
【００３８】
(６)．Ｇ辺の終点とＨ辺の始点の接点（Ｘ４）とＨ辺に隣接する第２の短辺５の中点（Ｘ８）を結ぶ線分（Ｘ４、Ｘ８）を、谷折する。これにより、Ｈ辺は、図１において紙面の前方へ（前側へ）折り曲げられた形状となる。
【００３９】
(７)．Ｅ辺の終点とＦ辺の始点の接点（Ｘ２）、長方形１の重心（Ｏ）、及び、Ｇ辺の終点とＨ辺の始点の接点（Ｘ４）を頂点とする三角形を、Ｆ辺の終点とＧ辺の始点の中点（Ｘ６）と長方形１の重心（Ｏ）を結ぶ線分（Ｘ６、Ｏ）で山折し、Ｅ辺とＦ辺を接合するとともにＧ辺とＨ辺を接合する。
【００４０】
(８)．以上により第１の短辺４と第２の短辺５がそれぞれの中点（Ｘ７、Ｘ８）を頂点として２区分された合計４辺よりなる開口を有する１２面体を形成する。
【００４１】
(９)．前記１２面体の一対をそれぞれの開口が対向するように向き合わせ、即ち、前記１２面体の一方を、その開口の中心と当該開口の後部に形成されている頂角（前記長方形１の重心Ｏ）を通る線分を回転軸として９０度回転させ、前記一対の１２面体をそれぞれの開口の４辺（第１の短辺４が半分割された２辺と第２の短辺５が半分割された2辺の合計4辺）で接合し、中空の２４面体（イコソリッド単体）（１００）を製作する。
【００４２】
前記折り紙の製作工程（１）〜(８)により、図２（ａ）〜（ｂ）に示されるように第１の短辺４と第２の短辺５のそれぞれが中点（Ｘ７、Ｘ８）で２区分（半分割）された４辺（ａ１、ｂ１、ｃ１、ｄ１）より成る開口を有する中空の１２面体（６）が製作される。この中空の１２面体（６）は、中空の２４面体であるイコソリッド単体（１００）の半殻体である。
前記中空の１２面体（イコソリッド半殻体）（６）は、図１及び図２（ａ）〜（ｂ）から明らかのように２種類の直角三角形、即ち、
・  大きな直角二等辺三角形（６１）（図１の頂点Ｘ１ 、Ｘ２  、Ｘ７  で形成される直角二等辺三角形を参照）を４面有し、かつ、
・  前記大きな直角二等辺三角形の半分の小さな直角二等辺三角形（６２）（図１の頂点Ｘ１  、Ｘ５ 、Ｏで形成される直角二等辺三角形を参照）を８面有するものである。
【００４３】
前記折り紙の製作工程（９）により、図３〜図４に示されるように、本発明のイコソリッド単体（中空の２４面体）（１００）が製作される。
図３は、前記１２面体（６）の一対（６、６）を示している。なお、図３において、一方の１２面体（これは開口辺ａ１、ｂ１、ｃ１、ｄ１  の開口部を有する。）に対し、他方の１２面体（これは開口辺ａ２、ｂ２、ｃ２、ｄ２  の開口部を有する。）は、その開口部の中心と該開口部の後部において形成される頂角〔図２（ｂ）のＯ参照〕とを通る線分を回転軸として９０度回転させて配置されている。即ち、図３は、前記一対の１２面体（６，６）のそれぞれの開口部の４辺を接合する直前の状態図ということができる。
図４は、前記一対の１２面体（６、６）をそれぞれの開口部で接合して本発明の中空の２４面体（１００）を製作したときの状態図を示している。
【００４４】
前記したことから明らかのように、前記１２面体（６）は、本発明の２４面体からなるイコソリッド単体（中空の２４面体）（１００）の２分の１多面体（半殻体）ということができる。
【００４５】
本発明の特殊な多面構造体である中空の２４面体から成るイコソリッド単体は、所望の方法により製造すればよく、製造方法に何等の制限はない。
例えば、絶縁性シートを折り曲げ加工したり、絶縁材料を射出成形して中空の２４面体を形成し、外表面に導電性シートを被覆したり導電性のメッキ被膜を形成してもよい。
また、微細加工法の１つである光造形法により光硬化性樹脂を光照射しながら、微小な中空の２４面体、あるいは前記２４面対の半殻体である１２面体などを形成し、次いで導電性メッキ層を形成するようにしてもよい。
【００４６】
前記した製造法において、導電層の形成法としては、導電性ペーストを中空の２４面体またはその半殻体の全表面に塗布するか、溶融した導電性材料の浴の中に絶縁材料により形成した中空の２４面体またはその半殻体を浸漬処理するか、またはメッキ（電気または無電気メッキ）により導電層を形成すればよい。
本発明において、前記導電層は、銅、白金、銀、ニッケルなど所望の導電性材料を用いればよい。
【００４７】
次に、本発明の低エネルギーレベルの陽電子（ポジトロン）発生装置の主たる構成要素である中空の２４面体の１個から成るイコソリッド単体、あるいは、前記イコソリッド単体の所望個数を結合したイコソリッド結合体の技術的構成について説明する。
前者のイコソリッド単体の技術的構成については、今までの前記した説明から明らかであ。
以下、特に、イコソリッド結合体の技術的構成について説明する。
【００４８】
本発明において、本発明者らの実験において、イコソリッド単体（１個の中空の２４面体から構成されるもの）においても、後述する直流電源との接続法のもとで、その外表面から陽電子（ポジトロン）を放射していることが強く推認されている。
また、同様に、イコソリッド単体を所望個数結合して製作したイコソリッド結合体においても、後述する直流電源との接続法のもとで、その外表面から陽電子（ポジトロン）を放射していることが強く推認されている。
【００４９】
イコソリッド単体の複数個から成るイコソリッド結合体を利用した陽電子（ポジトロン）発生装置において、その主たる応用・利用分野が、健康回復、健康増進のために人体等に対して陽電子（ポジトロン）を照射することに鑑み、照射に適する形態でイコソリッド単体の所望個数が結合されることが好ましいことはいうまでもないことである。
理論的には、イコソリッド単体のみ（１個）、あるいは、イコソリッド単体の２個を前後に所定の間隔を置いて配置したものを陽電子（ポジトロン）発生装置の構成要素とすることができる。
その他、３個以上のイコソリッド単体を、平面状に、その中央部に形成される空間部（収容スペース）の（平面図的にみた）形状により、三角形状、四角形状、五画形状、六画形状、八画形状、などに配列、結合して、イコソリッド結合体を構成してもよい。
なお、その際、イコソリッド単体を単に平面状に配列、結合する以外に、各イコソリッド単体の上下方向に２個、３個、４個、５個、などの複数個を連結、結合し、全体として立体状としたもの（イコソリッド単体の単層が複層化したもの）もイコソリッド結合体として使用することができる。
【００５０】
以下、本発明の陽電子（ポジトロン）電子（ポジトロン）発生装置の主たる構成要素であるイコソリッド結合体について、中央部に形成される空間部（収容スペース）の作りやすさ、陽電子（ポジトロン）の放射効率などの観点から、イコソリッド結合体として、イコソリッド単体を８個結合したイコソリッド結合体を代表例に選び、その技術的構成について詳しく説明する。
なお、前記したことから明らかなように、本発明のイコソリッド結合体は、以下に説明する８個のイコソリッド単体を結合したものに限定されないことはいうまでもないことである。
【００５１】
図５は、本発明のイコソリッド単体（中空の２４面体）を８個組み合わせて製作したイコソリッド結合体（２００）の外観斜視図である。図中、参照符号の（Ｃ）は、イコソリッド結合体の支柱（ポール）を示している。
図６は、イコソリッド結合体（２００）の平面図である。
図示されるように、８個のイコソリッド単体（中空の２４面体）結合させてイコソリッド結合体（２００）を製作するためには、イコソリッド単体の接合法・結合法に留意しなければならない。
【００５２】
イコソリッド単体（中空の２４面体）の接合方（結合法）として、相互の辺同士を接合する辺接合する態様もありうるが、本発明では相互の頂点を接合する点接合を採用する。
具体的には、図５〜図６に示されるように、８個のイコソリッド単体を結合したイコソリッド結合体（２００）は、上下に点接合した１組のイコソリッド単体（１００，１００）の４組を、平面図的にみて、十字状（十字架状）に配置し、各組の隣接する角部（コーナー部）において各組のイコソリッド単体の頂点同士を点接合し、８個のイコソリッド単体を立体状に結合して構成される。
【００５３】
本発明において、イコソリッド単体（１００）の特殊な幾何学的形状に基づき、前記した接合・結合により図６〜図７に示されるように、十字状（十字架状）に８個のイコソリッド単体（１００）が、中央部に所定の大きさの空間部（立方状収容スペース）を形成しつつ相互に結合される。
【００５４】
前記のようにして８個のイコソリッド単体を接合（結合）して形成されるイコソリッド結合体（２００）は、イコソリッド単体の特殊な幾何学的形状に基づいて、即ち、各イコソリッド単体の平面投影図は略正方形であるため（図６参照）、その配列方式を工夫することにより極めて容易に内部に人体（あるいは頭部、上半身などの人体の一部）やペット動物などを収容することができる空間部（収容スペース）を形成することができる。
図７は、前記図６と同様に、イコソリッド結合体（２００）の中にイコソリッド単体が有する特殊な幾何学的形状に基づいて極めて容易に形成された空間部（収容スペース）（Ｓ）を示している。前記空間部（収容スペース）（Ｓ）は、人他体等に対する陽電子（ポジトロン）の照射室となるものであり、これが極めて容易に形成されることは本発明の大きな特徴点である。
本発明において、イコソリッド結合体（２００）は、図5〜図７では８個のイコソリッド単体を十字状（十字架状）に接合（結合）した縦型形式のものを示しているが、これを横型形式にしてもよいものである。この場合、空間部（収容スペース）（Ｓ）も横型形式になり、人体等は横臥した状態で収容されることになる。
【００５５】
前記したイコソリッド結合体の内部に形成される空間部（収容スペース）（Ｓ）の大きさは、例えば、図１に示される長方形の長辺２と短辺４の大きさを変えることにより合目的に調整することができる。
例えば、以下のように空間部（収容スペース）（Ｓ）の大きさを合目的に調整することができる。
なお、以下において、空間部（収容スペース）（Ｓ）の（平面投影）形状は、図６から判るように、厳密には上下のイコソリッド単体の外観形状からして段差のある２種類の形状（例えば１辺の長さが６０ｃｍの正方形と３０ｃｍの正八角形）のものがあるが、ここでは正方形であるとして、その大きさを説明することにする。また、空間部（収容スペース）（Ｓ）の高さは、上下２段の一番下から一番上までの距離とする。
（１）．長辺２／短辺４を６０ｃｍ／３０ｃｍとするとき、空間部（収容スペース）の平面投影したとき（図６参照）の寸法（タテ／ヨコ）は、６０ｃｍ／６０ｃｍである。また、空間部（収容スペース）（Ｓ）の高さは１４０ｃｍである。このスペースの大きさは、人が座った姿勢で陽電子（ポジトロン）の照射を受けるのに適している。
（２）．長辺２／短辺４を９０ｃｍ／４５ｃｍとするとき、空間部（収容スペース）（Ｓ）の平面投影したとき（図６参照）の寸法（タテ／ヨコ）は、９０ｃｍ／９０ｃｍである。また、空間部（収容スペース）（Ｓ）の高さは２１０ｃｍである。このスペースの大きさは、人が立った姿勢あるいは横臥した姿勢で陽電子（ポジトロン）の照射を受けるのに適している。
【００５６】
本発明者らは、前記のようにしてイコソリッド結合体（２００）の基本単位となるイコソリッド単体（中空の２４面体）（１００）は、画家の空間表現法の研究のところで説明したように、２枚の導電性の長方形の平板を十字交差させ、鏡面一対（左右対称）のルールを持って折り畳むことにより形成されたものであり、３Ｄ実像立体でありながら４Ｄ（時空）実像立体を映し込んでいる、と考えている。
このため、本発明者らは、このイコソリッド単体は、アート的に優れた均整美を有するとともに、その特殊な幾何学的形状に起因して、現存する工業製品には見られない産業的な有用性を保持していると考えている。
このような考え方の延長線上の１つの成果が、前記した先の提案（特願２００４−２９１０５６；磁束減少素子）に結実されている。
【００５７】
本発明は、イコソリッド単体（中空の２４面体）が有する他の有用な特性を見い出すべく研究する過程で発案・創案されたものである。
本発明者は、イコソリッド単体（中空の２４面体）の有用性についての研究過程において、８個のイコソリッド単体を前記したように接合（結合）してイコソリッド結合体を形成したものにおいて、イコソリッド単体の特殊な幾何学的形状に基づいて、イコソリッド結合体の内部に容易に形成することができる空間部（収容スペース）（Ｓ）に、電源接続などがない自然の状態にあるとき、この空間部（収容スペース）に入室したとき（身を委ねたとき）、母の胎内に入ったような安心感と若返り感という不思議な感覚を覚え、この空間部（収容スペース）に有用性があるのではないかと確信した。
その成果が、本発明の陽電子（ポジトロン）発生装置に通じているということができる。
【００５８】
前記したように、本発明者らは、イコソリッド単体（中空の２４面体）に交流電源を接続したときに見られる電気的な特異現象に鑑み、その応用・利用技術として先に磁束減少素子を提案したところである（特願２００４−２９１０５６参照）。
本発明者らは、イコソリッド単体はもとより、これを所望個数、組み合わせて形成したイコソリッド結合体においても、更に特異な現象が発現されるのではないか、という考えのもとに研究を進めた。
そのような研究過程の中で、本発明者らは、ベースとなるイコソリッド単体に電気的エネルギーを供給したとき、中空の２４面体であるイコソリッド単体が、前記したように中空の１２面体（イコソリッド単体の半殻体）を上下方向に下側の１２面体（イコソリッド単体の半殻体）に対して上側の１２面体を反転させて接合（結合：この場合は辺接合になる。）していることから（図２〜３参照）、このような反転構造を有するイコソリッド単体において、一方の１２面体に通電供給された電子の特性が、他の１２面体の部位において増強、増大、変化（例えば、陽電子の発現支援）されるのではないか、という素朴な考え方をもった。
また、同様に、イコソリッド単体を8個接合（結合）して形成したイコソリッド結合体の全体系においても、通電供給された電子の特性が増強、増大、変化（例えば、陽電子の発現支援）されるのではないか、という素朴な考え方をもった。
【００５９】
前記したイコソリッド単体における上下のイコソリッド単体の半殻体の反転接合（結合）という構造は、本発明者らにとって、メビウスの輪とスピンの関係を連想させるものであった。
周知のように、スピンは物理学的存在であり、これはスピノールという数学的存在として記述されるものである。
なお、スピンは、大きさのない点（大きさのない点粒子）が自転し、かつ、回転速度がデジタル（量子論的にトビトビの値をとり、より正確にはプランク定数ｈを用いて、ｈ／２πを基準にして測定される量）、という性質を有する。
そして、前記スピノールは、スピンが1回転すると−（マイナス）になり（反転する）、スピンが2回転すると＋（プラス）になる（元に戻る）、という性質を有する。
このような性質を有する幾何学的物体としては、よく知られているように「メビウスの輪」（例えば、細長い紙の短冊を1回ひねって端部を貼り付けして製作したもの。）がある。
このメビウスの輪は、その表面に沿って1週しても元の場所に戻らず（1週すると短冊の裏側に来てしまう。）、2週して初めて元の場所に戻ることができる、という性質を有する。
【００６０】
本発明者らは、イコソリッド単体（中空の24面体）が前記メビウスの輪と同じ性質を有するものではないかと考えており、即ち、イコソリッド単体は上下の半殻体（12面体）を反転させて上下に結合された構造であるため、この反転構造によりメビウスの輪と同じ性質を有するものと考えている。
このため、本発明者らは、1個のイコソリッド単体に供給された電子（エレクトロン：スピン角運動量、１／２）は、1週（1回転）して陽電子（ポジトロン）に変換されるのではないか、あるいは、そのような状況はイコソリッド結合体（8個のイコソリッド単体の結合体）に供給された電子においても生起し得るのではないかと、考えている。
更には、本発明者らは、イコソリッド単体は、前記したように４Ｄ実像を３Ｄ実像の中に写し込んでいると考えられるため、イコソリッド単体のもとでは通常の３Ｄ物体（実像立体）ではみられない特異な特性が発現されるではないか、という素朴な考え方をもっている。
【００６１】
また、本発明者らは、人体の健康回復・増進との関連において、人体への低エネルギーレベルの陽電子（ポジトロン）照射について、
・ある意味では導電性である人体には、外界から日常的に電子が供給され、これが体内に蓄積され種々の健康悪化の要因になっていること、
・従って、電子とは全く極性が異なる低エネルギーレベルの陽電子（ポジトロン）を照射することは有効である、
という考え方をもっている。
【００６２】
前記した人体等に対する低エネルギーレベルの陽電子（ポジトロン）の照射の有効性は、例えば高血圧の低減化効果（正常血圧値化、至適血圧値化）は、後述する実施例において実証されている。
本発明者らは、その有効性について、次のように考えている。
最近、人間の高血圧の原因物質（トリガー）としての遺伝子ＤＮＡ・ヒトレニン（酵素レニン）の閉鎖体と開口体の役割、別言すれば、当該ＤＮＡの開閉機作が注目されている（例えば、村上和雄著、「生命の暗号」、サンマーク出版、１９９７年７月１０日、参照）。
即ち、前記ＤＮＡ（酵素レニン）の機作として、当該ＤＮＡのオン／オフ（ｏｎ／ｏｆｆ）機作が注目されており、これによると、
・酵素レニンは、直接、血圧を昇圧させているのではなく、昇圧ホルモンの前駆体であるアンギオテンシノーゲンに作用し、昇圧ホルモンとしてのアンギオテンシンを作り出すことにより血圧を昇圧させる（同書９２頁）。
別言すると、酵素レニンは、オン／オフ（ｏｎ／ｏｆｆ）機作により、
・オン（ｏｎ）で悪玉遺伝子化し、高血圧を原因し、
・オフ（ｏｆｆ）で良玉遺伝子化し、血圧降下を原因する。
前記したように、遺伝子のオン／オフ（ｏｎ／ｏｆｆ）とは、調節遺伝子がどのように働くかという問題に係わるものであり（同書５０頁）、これが働くことでホルモンに影響を与え、結果として血圧調整が行われることになる。
いま、遺伝子を構成する電子が低エネルギーレベルの陽電子（ポジトロン）の照射の影響を受けて、遺伝子が開口体になり遺伝子のオン／オフ（ｏｎ／ｏｆｆ）機作に影響を与え、これにより人体の現象として血圧、脈拍の正常化、体温の上昇などが発現されると考えてもよい。
本発明において、後述する実施例３にみられるように、高血圧被験者の場合、高血圧から正常値化（あるいは至適血圧値化）していることから、遺伝子のオフ（ｏｆｆ）の機作が、また、低血圧被験者の場合、低血圧から正常値化（あるいは至適血圧値化）していることから、遺伝子のオン（ｏｎ）の機作が作用しているものと認められ、単なる血圧の降下、昇圧ではなく、至適血圧値化という健康レベルの調整が図られることが観察されている。
別言すれば、後述する実施例は、前記した遺伝子ＤＮＡのオン／オフ（ｏｎ／ｏｆｆ）機作が生起していることを強く推認させるものである。
【００６３】
以上のことから、本発明者らの主たる研究開発の方向は、イコソリッド単体をベースとした健康回復、健康促進のための低エネルギーレベルの人体等の被照射体にとって安全な陽電子（ポジトロン）発生装置の開発にあった。
この方向での研究開発の成果が、本発明に係わる陽電子（ポジトロン）発生装置である。
本発明の陽電子（ポジトロン）発生装置は、
・例えば、８個のイコソリッド単体を結合させることにより、その内部にイコソリッド単体の特殊な幾何学的形体を利用して形成した陽電子（ポジトロン）の照射に適した空間部（収容スペース）を有するイコソリッド結合体を採用するとともに、
・被照射体に対して安全な低エネルギーレベルの陽電子（ポジトロン）の発生を意図して、電源装置として直流電源を採用し、更に、イコソリッド結合体と直流電源との特殊な電気的接続法、及び、接地（アース）法を採用することにより、
構成されるものである。
【００６４】
本発明において、電源としては、安定的に安全かつ低エネルギーレベルの陽電子（ポジトロン）を発生させるという観点から直流電源を採用する。
直流電源としては、人体等の安全性などの観点から、例えば、１２ボルト以下のバッテリー、電池（セル）などを使用すれば良い。
なお、直流電源の採用により、イコソリッド結合体の部位における電磁波(電波)発生を防止し、これにより被照射体の安全性が確保される。
【００６５】
図８は、本発明の陽電子（ポジトロン）発生装置におけるイコソリッド結合体（２００）と直流電源（Ｂ）の配線図（電気回路図）を示す。
図８に示される配線図（電気回路図）において、特徴的な点は、
（１）．直流電源（Ｂ）の陽極（＋）からのリード線（ａ）は、イコソリッド結合体（２００）に接続されるとともに、リード線（ａ）の端部は、直接、接地（アース）（Ｅ）される点、
（２）．直流電源（Ｂ）の陰極（−）からのリード線（ｂ）は、直流電源（Ｂ）の容量残存の確認と回路の通電状態を把握するためのＬＥＤランプを介して、これも、直接、接地（アース）（Ｅ）される点、
にある。
前記したように、陽極（＋）からのリード線（ａ）と陰極（−）からのリード線（ｂ）は、直接的には結線されずに、夫々の端部は地中に埋められて接地（アース）される。
両リード線（ａ，ｂ）を接続（結線）しない理由は、イコソリッド結合体（２００）に対して陰極（−）からの電子を、直接、陽極（＋）側に流入させないためであり、これにより、イコソリッド結合体（２００）において効率的に陽電子（ポジトロン）を発生させるためである。
【００６６】
前記したイコソリッド結合体（２００）と直流電源（Ｂ）との接地態様のもとにおいては、厳密には、アース体である大地（地球）の僅かな導電性により、陰極から陽極への僅かな電子の流れが考えられる（従って、図８に図示されるＬＥＤランプは点灯する）。
このため、本発明者らは、この電子をベースにして陽電子（ポジトロン）が効率的に発生させることができる、考えている。
従って、本発明において、前記したイコソリッド結合体（２００）と直流電源（Ｂ）との配線（電気回路）関係は重要なものであると考える。
本発明者らは、前記したように接地（アース）される大地（地球）からの僅かな電子が陰極から陽極の方へ流れるという通電条件のもとにおいて、この電子は、イコソリッド結合体を構成するイコソリッド単体の半殻体（１２面体）の（上下方向の）反転構造（図２参照）により、電子の反粒子である陽電子（ポジトロン）が効率的に発生されるのではないかと考えている。
【００６７】
図９は、従来一般の常識的な配線方法によるイコソリッド結合体（２００）と直流電源（Ｂ）の配線（接続回路）図である。これは、本発明の配線（接続回路）図に対する比較例となるものである。
図９に示される配線（接続回路）図における特徴点は、図８と図９から明らかなように、陽極（＋）からのリード線（ａ）と陰極（−）からのリード線（ｂ）の端部が接続（結線）され、かつ、接地（Ｅ）されている点である。
図９の従来一般の配線（接続回路）図のもとにおいては、低エネルギーレベルの陽電子（ポジトロン）の発生は阻止される。
なお、図９の配線（接続回路）図のもとにおいて、図示されているＬＥＤランプを点灯する。また、図示しないが、図９においてイコソリッド結合体（２００）のみを除去した配線（接続回路）図のもとにおいても、図示されているＬＥＤランプは点灯する。
【００６８】
前記した図８に係わる本発明が採用するイコソリッド結合体（２００）と直流電源（Ｂ）との配線（接続回路）の構成を詳しく説明する。
・イコソリッド結合体（２００）として後述の実施例１のものを採用し、かつ、
・直流電源（Ｂ）としてバッテリー（ジーエス・ユアサバッテリー社製、ＶＲＬＡ（制御弁方式）オートバイ用バッテリーＧＴ４Ｂ−５）を採用し、かつ、印加電圧を１２V（ボルト）（２．５Ａｈ，１０ＨＲ）とした。
・これにより、空間部（収容スペース）（Ｓ）の電場強度は、Ｔｒｉｆｉｅｌｄ社製のトリフィールドメータ（ｍｏｄｅｌ・１００ＸＥ）により、ほぼ「０」になる。
なお、前記回路系の極性テスト（回路が陽極か陰極であるかの確認テスト）の結果は、兼古製作所社製のペンシル型のＬＥＤ内蔵型のユニバーサルミニテスターによるＤＣチェックによる回路の極性テストの結果は、人体収容スペース（Ｓ）は陽極に接続されていた。
前記したことから、
・陽極（＋）からのリード線（ａ）には基本的には電子が流れておらず、但し、アース体である大地（地球）からの自由電子の供給は考えられるが、イコソリッド結合体（２００）の空間部（収容スペース）（Ｓ）内の電場強度がほぼ「０」であること、従って、アース体である大地（地球）からの自由電子の供給はこの程度のものであること、かつ、
・後述するようにこの空間部（収容スペース）（Ｓ）に収容された被験者に健康上の有意な差が認められることからして、
空間部（収容スペース）（Ｓ）の内部には低エネルギーレベルの陽電子（ポジトロン）が発生していることが、間接的に強く推認される。
本発明において、イコソリッド結合体(２００)を用いて形成される空間部（収容スペース）（Ｓ）内の電場強度が、ほぼ「０」であるということの意義は、安全性の観点から重要なものである。
即ち、図８に示されるイコソリッド結合体（２００）と直流電源（Ｂ）との電気的接続により、空間部（収容スペース）（Ｓ）内の電場強度がほぼ「０」となり、電磁波（電波）の発生が抑制（防止）されて、被照射体の安全性が確保されることになり、その意義は重要である。
【００６９】
本発明者らは、前記回路系の特徴について、次のように考えている。
前記したように、この回路系は、
・（＋）陽極回路系において、電場強度がほぼ「０」（ゼロ）であること、別言すれば、アース体である大地（地球）からの自由電子の僅かな供給という条件のもとで（図示されるLEDランプは点灯する。）、
・供給された通常の自由電子（これは、人体等の構成要素である元素レベルの電子と同じである。）を、いま、閉鎖体電子というと、
・イコソリッド結合体（２００）を介して、前記閉鎖体電子は開口体電子（陽電子・ポジトロン）に変換される、と考えている。
別言すれば、この回路系は、閉鎖体電子を開口体電子（陽電子・ポジトロン）に変換する特徴を有する、ということができる。
このようにして変換されて生成した開口体電子（陽電子・ポジトロン）の応用・利用分野については，以下に説明する。
【００７０】
本発明の陽電子（ポジトロン）発生装置の重要な利用分野として、例えば、人体やペット動物などの健康回復、健康増進の利用分野がある。
周知のように人体には、外界から常に電子が供給され、これが体内に蓄積され、種々の健康悪化要因になっている。
従って、電子とは全く極性の相違する本発明の陽電子（ポジトロン）発生装置により発生させた低エネルギーレベルの陽電子（ポジトロン）を人体等に照射することは有効である。
この陽電子（ポジトロン）の人体等への照射効果は、後述する実施例で示されるように、例えば、高血圧の正常化等に関して、高血圧の結果的な原因物質である遺伝子ＤＮＡ・ヒトレニン（酵素レニン）のオフ（ｏｆｆ）により、即ち、遺伝子を構成する電子が低エネルギーレベルの陽電子（ポジトロン）照射の影響を受けて遺伝子閉鎖体へ変化し、高血圧の正常値化だけでなく至適血圧値化への自動調整能力が認められる。この他、低血圧の正常値化、至適血圧値化、更には、脈拍や体温の健康レベルの維持など、人体の健康レベルの調整にも有利であることを強く推認することができる。
【００７１】
後述する実施例に示すように、本発明の陽電子（ポジトロン）発生装置の空間部（収容スペース）（Ｓ）内での被験者による照射実験の結果、個人差はあるものの、
・血圧の効果（高血圧・低血圧の是正、血流の促進）、
・脈拍数の安定化（安定脈拍数の確保、被験者固体にもよるが多少の脈拍数の増大）、
・体温の上昇、
などにおいて、有意なデータが得られている。
【００７２】
以下、本発明の陽電子（ポジトロン）発生装置の技術的構成について、実施例により更に詳しく説明する。
なお、本発明は、以下の実施例のものに限定されないことは言うまでもないことである。
【実施例１】
【００７３】
＜陽電子（ポジトロン）発生装置用のイコソリッド単体の製作について＞：
銅版（厚さ０．８mm）製の長辺１２０ｃｍ、短辺６０ｃｍ（長辺／短辺比  ２：１）の長方形の平板を使用して、図１〜図４を参照して説明した手順によりイコソリッド単体（中空の２４面体）（１００）を製作した。
次に、前記イコソリッド単体（中空の２４面体）の８個を十字状（十字架状）に接合（結合）して図５〜図７に示されるイコソリッド結合体（２００）を製作した。
前記のように製作したイコソリッド結合体（２００）において、その内部に形成される人体収容スペース（Ｓ）の大きさは、平面投影したときの寸法（イコソリッド結合体の上から見たときのＳ部の寸法）は、約６０×６０ｃｍであり、また、高さは約１４０ｃｍであった。
【実施例２】
【００７４】
＜陽電子（ポジトロン）発生装置のイコソリッド結合体（２００）と直流電源（Ｂ）の配線図（電気的回路図）について＞：
前記のようにして製作したイコソリッド結合体（２００）、及び、直流電源・バッテリー（Ｂ）（ジーエス・ユアサバッテリー社製、ＶＲＬＡ（制御弁方式）オートバイ用バッテリーＧＴ４Ｂ−５）を、図８のように配線接続して陽電子（ポジトロン）発生装置を構成した。
バッテリー（Ｂ）の電源電圧を１２Ｖに設定したとき、イコソリッド結合体（２００）の内部に形成される空間部（収容スペース）（Ｓ）の電気的環境条件は、次の通りであった。
（１）．電場強度：Ｔｒｉｆｉｅｌｄ社製のトリフィールドメータ（ｍｏｄｅｌ・１００ＸＥ）により、ほぼ「０」である。
（２）．回路の極性テスト（回路が陽極か陰極であるかの確認テスト）：兼古製作所社製のペンシル型ＬＥＤユニバーサルミニテスターによる回路の極性テストにおいて空間部（収容スペース）（Ｓ）は、陽極に接続されていた。
なお、本発明者は、前記した空間部（収容スペース）（Ｓ）での電気的環境条件は、後述する被験者による有意な血圧値データ、脈拍数データ、体温上昇データからみて、この空間部（収容スペース）（Ｓ）の場（フィールド）において、陽電子（ポジトロン）が発生していることを間接的に強く推認することができると考えている。
これは、現在、低エネルギーレベルの陽電子（ポジトロン）の存在を確認するテスター（計測器）が存在しないこと、しかしながら、前記したように空間部（収容スペース）（Ｓ）において、被験者に健康上の有意な差が認められることからして、この空間部（収容スペース）（Ｓ）に陽電子（ポジトロン）が発生している、と考えるのは妥当な考え方である。
【実施例３】
【００７５】
＜陽電子（ポジトロン）発生装置による被験者の血圧、脈拍の測定結果について＞：
以下、前記のようにして製作した陽電子（ポジトロン）発生装置の空間部（収容スペース）（Ｓ）への入室前、入室後、出室後の被験者の血圧、脈拍の測定結果を示す。
一般的な傾向として、入室すると短時間内に血圧値が正常値化し、脈拍数が活性化または安定化する。
なお、下記において、測定データは、血圧値の上／下、脈拍、測定時間の順に示され、かつ、「外」は被験者が装置の外にいるとき、「内」は装置の中にいるとき、「外後」は装置から出ているとき、を夫々示している。
１．男・５９才（Ｋ．Ｅ）のケース（オムロンデジタル自動血圧計ＨＥＭ−６５０を使用）：
１）．計測日（２００９年８月１４日）
・外  「１４７／８６    ９０    １４：５２」（入室１４：５５）
・内  「  ９７／６１  １００    １４：５７」
・内  「１１１／７０    ９９    １４：５８」（出室１５：０８）
・外後「１２５／７６    ９４    １５：０９」
２）．計測日（２００９年８月１７日）
・外  「１５０／８５  １０４    １６：４７」（入室１６：４８）
・内  「  ８５／５４  １１６    １６：４８」
・内  「１１６／７４  １０８    １６：５０」（出室１６：５１）
・外後「１３７／８５  １００    １６：５２」
２．女・５３才（Ｉ．Ｅ）のケース（オムロンデジタル自動血圧計ＨＥＭ−６５０を使用）：
１）．計測日（２００９年８月０３日）
・外  「１４２／８３    ６５    １７：１１」（入室１７：１１）
・内  「１０５／７１    ８８    １７：１２」
・内  「１０７／６９    ８４    １７：１３」（出室１７：１４）
・外後「１２１／７０    ６６    １７：１５」
３．男・５２才（Ｈ．Ｅ）のケース（オムロンデジタル自動血圧計ＨＥＭ−６５０を使用）：
１）．計測日（２００９年８月１０日）
・外  「１３５／８４    ７１    １６：３０」（入室１６：３１）
・内  「１２７／７６    ７１    １６：３３」
・内  「１２１／７５    ６６    １６：３５」（出室１６：３８）
・外後「１２１／７７    ６６    １６：４０」
４．女・８４才（Ｓ．Ｅ）のケース（マルモ電子血圧計ＥＳ−Ｐ１０１を使用）：
１）．計測日（２００９年８月０９日）
・外  「１５７／８１    ９０    ２０：５６」（入室２０：５７）
・内  「１３９／７９    ８２    ２０：５９」
・内  「１１２／６９    ８３    ２１：２２」（出室２２：０５）
・外後「１３３／７７    ８１    ２２：０９」
５．男・６５才（Ｔ．Ｔ）のケース（オムロンデジタル自動血圧計ＨＥＭ−６５０を使用）：
１）．計測日（２００９年８月０９日）
・外  「１１８／８１    ７８    １４：１３」（入室１４：５２）
・内  「１０５／７１  １００    １４：５３」（出室１５：０９）
・外後「１１５／８２    ９２    １５：１０」
６．男・７４才（Ｔ．Ｍ）のケース（オムロンデジタル自動血圧計ＨＥＭ−７５７ファジイを使用）：
１）．計測日（２００９年７月２５日）（備）被験者は血圧降下剤を服用
・外  「１３２／８３    ７２    １４：３０」（入室１４：３０）
・内  「１０６／７１    ６３    １５：１０」
２）．計測日（２００９年７月３１日）（備）被験者は血圧降下剤を服用
・外  「１２６／７２    ７４    ２１：２０」（入室２１：４５）
・内  「１１７／６９    ６９    ２１：４６」
７、女・１９才（Ｍ．Ｓ）のケース（オムロンデジタル自動血圧計ＨＥＭ−６５０を使用）：
１）．計測日（２００９年８月１６日）
・外  「１０２／６９    ７２    １６：４９」（入室１６：５２）
・内  「１０５／６９    ９４    １６：５４」
・内  「  ９０／５５    ９４    １６：５７」（出室１７：０１）
・外後「１０４／６４    ７９    １７：０５」
２）．計測日（２００９年８月１６日）
・外  「１１０／７３    ７４    １７：５２」（入室１７：５４）
・内  「１０５／７０    ７２    １７：５７」
・内  「  ９９／６２    ８９    １８：００」（出室１８：０４）
・外後「１０８／６０    ８１    １８：０７」
８．男・６２才（Ｔ．Ｓ）のケース（オムロンデジタル自動血圧計ＨＥＭ−６５０を使用）：
１）．計測日（２００９年８月１６日）
・外  「１３３／７９    ７８    １７：０９」（入室１７：１４）
・内  「１０４／７２    ７７    １７：１６」
・内  「１０６／６９    ８１    １７：１７」
９．女・５６才（Ｒ．Ｓ）のケース（オムロンデジタル自動血圧計ＨＥＭ−６５０を使用）：
１）．計測日（２００９年８月１６日）
・外  「  ９５／５７    ６５    １５：５１」（入室１６：２８）
・内  「  ８８／５５    ６９    １６：３１」
・内  「  ９７／６０    ６６    １６：３２」（出室１６：４４）
・外後「１０１／５５    ７０    １６：４５」
１０．女・１８才（Ｍ．Ｅ）のケース（オムロンデジタル自動血圧計ＨＥＭ−６５０を使用）：
１）．計測日（２００９年８月１９日）
・外  「  ８５／４５    ５５    １２：０１」（入室１２：０３）
・内  「１０３／５４    ６８    １２：０４」
・内  「１０６／４５    ６５    １２：０６」（出室１２：１２）
・外後「  ９２／４２    ５９    １２：１３」
２）．計測日（２００９年８月２０日）
・外  「  ９５／４５    ５８    １１：４３」（入室１１：４４）
・内  「  ９４／４３    ７６    １１：４５」
・内  「  ９３／４４    ６３    １１：４６」（出室１１：４７）
・外後「  ９９／４７    ６６    １１：４８」
【００７６】
前記した被験者のうちＮｏ．９〜Ｎｏ．１０は、低血圧に属すると考えてよい。低血圧の人は、高血圧の人ほど急激な変化を示さない傾向にあるが、それでも至適血圧値に向かっていると認められる。
一般的に低血圧は、病的な自覚や症状が出ない場合は、病気として捉えられていないが、本実験から低血圧の人でも陽電子（ポジトロン）照射により調節遺伝子の作用が強く推認される。
【実施例４】
【００７７】
＜陽電子（ポジトロン）発生装置による被験者の体温の測定結果について＞：
以下、本発明の陽電子（ポジトロン）発生装置の空間部（収容スペース）（Ｓ）への入室前と入室中の被験者の体温の測定結果を示す。
一般的な傾向として、入室すると短時間内に体温が１℃前後上昇する。
なお、下記において、測定データは、体温、測定時間の順に示され、かつ、「外」は被験者が装置の外にいるとき、「内」は装置の中にいるとき、「アンダーライン部」は最高値、を夫々示している。
１．男・５９才（Ｋ．Ｅ）のケース：
１）．計測日（２００９年７月２３日）：（備）入室約５８分後に最高値に到達した。
・外「３６．３℃    １２：００」（入室１２：００）
・内「３６．４℃    １２：１９」
・内「３６．７℃    １２：３５」
・内「３７．２℃    １２：３６」
・内「３７．４℃    １２：５８」
２）．計測日（２００９年７月２９日）：（備）入室約３７分後に最高値に到達した。
・外「３６．８℃    １４：０９」（入室１４：０９）
・内「３７．０℃    １４：４４」
・内「３７．５℃    １４：４６」
２．女・５３才（Ｉ．Ｅ）のケース：
１）．計測日（２００９年７月２３日）：（備）入室約４４分後に最高値に到達した。
・外「３６．１℃    １３：０７」（入室１３：０７）
・内「３６．３℃    １３：２６」
・内「３６．８℃    １３：３２」
・内「３７．０℃    １３：４３」
・内「３７．１℃    １３：５１」
２）．計測日（２００９年７月２４日）：（備）入室約７１分後に最高値に到達した。
・外「３６．５℃    １４：１３」（入室１４：１３）
・内「３６．７℃    １４：２３」
・内「３７．１℃    １５：０３」
・内「３７．２℃    １５：２４」
３．男・５２才（Ｈ．Ｅ）のケース：
１）．計測日（２００９年８月１０日）：（備）入室約１５分後に最高値に到達した。
・外「３６．９℃    １６：０６」（入室１６：０９）
・内「３７．２℃    １６：１８」
・内「３７．４℃    １６：２４」
４．女・８４才（Ｓ．Ｅ）のケース：
１）．計測日（２００９年８月０９日）：（備）入室約４２分後に最高値に到達した。
・外「３６．０℃    ２０：５５」（入室２０：５７）
・内「３６．４℃    ２１：１０」
・内「３６．８℃    ２１：３９」
５．男・３４才（Ｋ．Ｈ）のケース：
１）．計測日（２００９年８月１２日）：（備）入室約３５分後に最高値に到達した。
・外「３６．２℃    １６：３０」（入室１６：３３）
・内「３６．５℃    １６：４７」
・内「３６．６℃    １７：０８」
６．男・４５才（Ｋ．Ｓ）のケース：
１）．計測日（２００９年８月０９日）：（備）入室約７分後に最高値に到達した。
・外「３６．６℃    １５：４７」（入室１６：１１）
・内「３７．０℃    １６：１８」
７．女・１９才（Ｍ．Ｓ）のケース：
１）．計測日（２００９年８月１６日）：（備）入室約９分後に最高値に到達した。
・外「３６．８℃    １７：５０」（入室１７：５４）
・内「３７．０℃    １７：５６」
・内「３７．３℃    １８：０３」
８．男・６２才（Ｔ．Ｓ）のケース：
１）．計測日（２００９年８月１６日）：（備）入室約１０分後に最高値に到達した。
・外「３６．９℃    １７：０９」（入室１７：１４）
・内「３７．１℃    １７：１５」
・内「３７．２℃    １７：２４」
９．女・５６才（Ｒ．Ｓ）のケース：
１）．計測日（２００９年８月１６日）：（備）入室約８分後に最高値に到達した。
・外「３６．１℃    １５：２４」（入室１６：２８）
・内「３６．６℃    １６：３６」
【産業上の利用可能性】
【００７８】
本発明に係わる陽電子（ポジトロン）発生装置は、特殊な幾何学的形状をした中空の２４面体（イコソリッド単体）を８個結合したイコソリッド結合体をベースとするものであり、極めて経済的、安定的の陽電子（ポジトロン）を発生させることができる。
【００７９】
また、本発明に係わる陽電子（ポジトロン）発生装置は、多くの被験者データが示すように、血圧、脈拍数、体温などの健康回復・増進ファクターにおいて有意な差が認められるものであり、その産業的価値は大である。
【符号の説明】
【００８０】
１      ・・・・  長辺：短辺＝２：１の長方形
２、３  ・・・・  長辺
４、５  ・・・・  短辺
６      ・・・・  中空の２４面体の２分の１の多面体（半殻体）
６１    ・・・・  大きい直角二等辺三角形
６２    ・・・・  小さい直角二等辺三角形（６１の半分の大きさ）
０      ・・・・  長方形１の重心点
１００  ・・・・  中空の２４面体（イコソリッド単体）
２００  ・・・・  イコソリッド結合体
Ａ      ・・・・  陽電子（ポジトロン）発生装置
Ｓ      ・・・・  空間部（収容スペース）
ａ      ・・・・  陽極（＋）リード線
ｂ      ・・・・  陰極（−）リード線
Ｃ      ・・・・  支柱（ポール）
Ｂ      ・・・・  直流電源
Ｅ      ・・・・  接地（アース）
【図１】
2011058856.tif 000003
【図２】
2011058856.tif 000004
【図３】
2011058856.tif 000005
【図４】
2011058856.tif 000006
【図５】
2011058856.tif 000007
【図６】
2011058856.tif 000008
【図７】
2011058856.tif 000009
【図８】
2011058856.tif 000010
【図９】
2011058856.tif 000011